(57)【要約】【課題】主に各種電子機器の操作に用いられる入力装置及びこれを用いたリモコン送信機に関し、安価で多様な操作が可能なものを提供することを目的とする。【解決手段】上面に略帯状で直交する複数の下固定電極２６と上固定電極２７が形成された固定基板２５と、下面全面に可動電極２４が形成された可動基板２３を、所定の間隙を空けて対向させて入力装置３０を構成することによって、電源の供給は下固定電極２６と上固定電極２７にのみ行われ、可動電極２４には電源の供給が不要となって、可動電極２４を固定基板２５や制御手段３２等に接続する必要がないため、コネクタ等の部品が不要となり、簡易な構成で安価なものを得ることができる。【選択図】図１
2009094770.tif 000002
【特許請求の範囲】
【請求項１】
上面に略帯状で直交する複数の固定電極が形成された固定基板と、下面全面に上記固定電極と所定の間隙を空けて対向する可動電極が形成された可動基板からなる入力装置。
【請求項２】
請求項１記載の入力装置と、この入力装置の固定電極に接続された制御手段からなり、上記制御手段が上記固定電極の電気的接離に応じて、送信手段からリモコン信号を送信するリモコン送信機。
【発明の詳細な説明】
【技術分野】
【０００１】
本発明は、主に各種電子機器の操作に用いられる入力装置、及びこれを用いたリモコン送信機に関するものである。
【背景技術】
【０００２】
近年、テレビやビデオ、エアコン等の各種電子機器の高機能化や多様化が進むなか、これらを操作する入力装置やリモコン送信機においても、安価で多様な操作を行えるものが求められている。
【０００３】
このような従来の入力装置及びこれを用いたリモコン送信機について、図８〜図１０を用いて説明する。
【０００４】
図９は従来のリモコン送信機の断面図、図１０は同分解斜視図であり、同図において、１は略箱状で絶縁樹脂製の上ケース、２はゴムやエラストマー等の操作体で、操作体２上面に形成された略ドーム状の複数の操作部２Ａが、上ケース１上面右方の複数の貫通孔１Ａから上下動可能に突出している。
【０００５】
そして、３はフィルム状の可動基板で、下面にはカーボン等によって複数の略帯状の可動電極４が形成されると共に、この可動基板３が上ケース１上面左方の開口孔１Ｂに装着されている。
【０００６】
また、５は上下面に複数の配線パターン（図示せず）が形成された固定基板で、この固定基板５上面右方にはカーボン等によって複数の固定接点６が形成されると共に、上面左方にはカーボン等によって可動電極４とは直交方向に、複数の略帯状の固定電極７が形成されている。
【０００７】
さらに、８は略額縁状のスペーサで、このスペーサ８の上下面に塗布形成された接着層（図示せず）によって、可動基板３が固定基板５に貼り合わされると共に、可動基板３下面の可動電極４と固定基板５上面の固定電極７が所定の間隙を空けて対向して、入力装置９が構成されている。
【０００８】
また、固定基板５上面右方には操作体２が載置され、複数の操作部２Ａ下面にカーボン等によって形成された可動接点１０が、固定基板５上面の複数の固定接点６と所定の間隙を空けて対向している。
【０００９】
そして、固定基板５上面にはコネクタ１１が実装され、このコネクタ１１に可動基板３の可動電極４が延出したテール部３Ａが挿入接続されると共に、固定基板５上下面には発光ダイオード等の送信手段１２や、マイコン等の制御手段１３が各々形成されている。
【００１０】
さらに、この制御手段１３に配線パターンやコネクタ１１を介して、送信手段１２や複数の固定接点６、複数の固定電極７や可動電極４が電気的に接続されると共に、上ケース１下面を絶縁樹脂製の下ケース１４が覆って、リモコン送信機が構成されている。
【００１１】
以上の構成において、例えば図８の正面図に示すような、電子機器４０にリモコン送信機を向けて、指で所定の操作部２Ａを押圧操作すると、この操作部２Ａが下方へ移動して下面の可動接点１０が固定接点６に接触し、複数の固定接点６が可動接点１０を介して電気的に接続される。
【００１２】
そして、この固定接点６の電気的接離を制御手段１３が検出して、送信手段１２から赤外線のリモコン信号を電子機器４０へ送信し、これを機器に内蔵されたリモコン受信機４１が受信して、例えば、テレビやビデオの電源の入／切や選局切換え、音量の増減等が遠隔操作によって行われる。
【００１３】
あるいは、図８に示すように、電子機器４０の液晶表示素子等の表示画面４２に、番組表等のメニューが表示された状態で、指で入力装置９の可動基板３上面の所定箇所を押圧操作すると、可動基板３が下方へ撓んでこの下面の可動電極４が固定電極７に接触する。
【００１４】
また、この時、複数の可動電極４と固定電極７へ順次電圧が印加され、これらの電極間の電圧比によって、押圧された位置を制御手段１３が検出し、この操作位置を送信手段１２から赤外線のリモコン信号として電子機器４０へ送信する。
【００１５】
そして、このリモコン信号を機器に内蔵されたリモコン受信機４１が受信して、例えば、表示画面４２に表示されたカーソル４３を上下方向や左右方向へ移動させることによって、番組表等のメニューの選択が行われる。
【００１６】
つまり、複数の操作部２Ａを押圧操作することによって、可動接点１０を介して複数の固定接点６の電気的接離を行わせ、電子機器４０の電源の入／切や選局切換え、音量の増減といった通常の遠隔操作を行うと共に、入力装置９の可動基板３を押圧操作することによって、可動電極４と固定電極７の電気的接離を行わせ、表示画面４２に表示されたカーソル４３を移動して、番組表等のメニューの選択を行えるように構成されているものであった。
【００１７】
なお、この出願の発明に関連する先行技術文献情報としては、例えば、特許文献１が知られている。
【特許文献１】特開２００６−３３６８０号公報
【発明の開示】
【発明が解決しようとする課題】
【００１８】
しかしながら、上記従来の入力装置及びこれを用いたリモコン送信機においては、下面に可動電極４が形成された可動基板３と、上面に固定電極７が形成された固定基板５を、所定の間隙を空けて対向させて入力装置９が構成されており、複数の固定電極７に加え、複数の可動電極４にも電源を供給する必要があるため、可動基板３のテール部３Ａを接続するためのコネクタ１１等が必要となり、構成が複雑で使用部品数も多く、高価なものになるという課題があった。
【００１９】
本発明は、このような従来の課題を解決するものであり、入力装置を簡易に構成すると共に、安価で多様な操作が可能なリモコン送信機を提供することを目的とする。
【課題を解決するための手段】
【００２０】
上記目的を達成するために本発明は、以下の構成を有するものである。
【００２１】
本発明の請求項１に記載の発明は、上面に略帯状で直交する複数の固定電極が形成された固定基板と、下面全面に可動電極が形成された可動基板を、所定の間隔を空けて対向させて入力装置を構成したものであり、電源の供給は複数の固定電極にのみ行われ、可動電極には電源の供給が不要となって、可動電極を固定基板や制御手段等に接続する必要がないため、コネクタ等の部品が不要となり、簡易な構成で安価な入力装置を得ることができるという作用を有する。
【００２２】
請求項２に記載の発明は、請求項１記載の入力装置の固定電極に、制御手段を接続すると共に、制御手段が固定電極の電気的接離に応じて、送信手段からリモコン信号を送信するようにしてリモコン送信機を構成したものであり、安価で多様な操作が可能なリモコン送信機を実現することができるという作用を有する。
【発明の効果】
【００２３】
以上のように本発明によれば、安価で多様な操作が可能な入力装置及びこれを用いたリモコン送信機を実現できるという有利な効果が得られる。
【発明を実施するための最良の形態】
【００２４】
以下、本発明の実施の形態について、図１〜図８を用いて説明する。
【００２５】
なお、背景技術の項で説明した構成と同一構成の部分には同一符号を付して、詳細な説明を簡略化する。
【００２６】
（実施の形態）
図１は本発明の一実施の形態によるリモコン送信機の断面図、図２は同分解斜視図であり、同図において、１は略箱状でポリスチレンやＡＢＳ等の絶縁樹脂製の上ケース、２２はゴムやエラストマー等の操作体で、操作体２２上面に形成された略ドーム状の複数の操作部２２Ａが、上ケース１上面右方の複数の貫通孔１Ａから上下動可能に突出している。
【００２７】
そして、２３は操作体２２に一体に形成された可動基板で、下面外周の薄肉部によって操作体２２上面左方に連結され、下面全面にはカーボン等によって可動電極２４が形成されると共に、この可動基板２３が上ケース１上面左方の開口孔１Ｂに装着されている。
【００２８】
また、２５は紙フェノールやガラス入りエポキシ等の板状の固定基板で、上下面には銅箔等によって複数の配線パターン（図示せず）が形成されると共に、この固定基板２５上面右方にはカーボン等によって複数の固定接点６が形成され、上面左方には略帯状で直交する複数の下固定電極２６と上固定電極２７が形成されている。
【００２９】
なお、この下固定電極２６と上固定電極２７は、図３の部分斜視図や図４（ａ）の部分断面図に示すように、銅箔の桟部２６Ａ上に所定間隔でカーボンによって複数の円形部２６Ｂが設けられて、複数の下固定電極２６が配列されると共に、これと直交方向にポリエステルやエポキシ等の絶縁層２７Ｃが形成され、この絶縁層２７Ｃ上にカーボンによって桟部２７Ａと円形部２７Ｂが設けられて、複数の上固定電極２７が配列されている。
【００３０】
さらに、これらの下固定電極２６と上固定電極２７の間の固定基板２５上面には、エポキシやシリコーン等によって、所定間隔で複数のドットスペーサ２８が形成されている。
【００３１】
そして、固定基板２５上面には操作体２２が載置され、複数の操作部２２Ａ下面にカーボン等によって形成された可動接点１０が、固定基板２５上面の複数の固定接点６と所定の間隙を空けて対向すると共に、可動基板２３下面の可動電極２４と固定基板２５上面の下固定電極２６、上固定電極２７が、所定の間隙を空けて対向して入力装置３０が構成されている。
【００３２】
また、固定基板２５の上下面には発光ダイオード等の送信手段３１や、マイコン等によって制御手段３２、スイッチング手段３３が各々形成されると共に、この制御手段３２に配線パターンを介して、送信手段３１やスイッチング手段３３、複数の固定接点６や下固定電極２６、上固定電極２７が電気的に接続され、上ケース１下面を絶縁樹脂製の下ケース１４が覆っている。
【００３３】
さらに、図３に示すように、複数の下固定電極２６と上固定電極２７の端部には、固定抵抗器を実装あるいは印刷等によって、複数の抵抗３４が形成されると共に、その端部がスイッチング手段３３に接続され、下固定電極２６と上固定電極２７間の電圧比を制御手段３２が検出するようにして、リモコン送信機が構成されている。
【００３４】
そして、このようなリモコン送信機と、例えば図８の正面図に示すような、テレビ等の電子機器４０に内蔵され、リモコン送信機からのリモコン信号を受信して機器の様々な操作を行うリモコン受信機４１が組み合わされて、リモコン送受信装置が形成される。
【００３５】
以上の構成において、電子機器４０にリモコン送信機を向けて、指で所定の操作部２２Ａを押圧操作すると、この操作部２２Ａが下方へ移動して下面の可動接点１０が固定接点６に接触し、複数の固定接点６が可動接点１０を介して電気的に接続される。
【００３６】
そして、この固定接点６の電気的接離を制御手段３２が検出して、送信手段３１から赤外線のリモコン信号を電子機器４０へ送信し、これを機器に内蔵されたリモコン受信機４１が受信して、例えば、テレビやビデオの電源の入／切や選局切換え、音量の増減等が遠隔操作によって行われる。
【００３７】
あるいは、図８に示すように、電子機器４０の液晶表示素子等の表示画面４２に、番組表等のメニューが表示された状態で、指で入力装置３０の可動基板２３上面の所定箇所を押圧操作、あるいは押圧操作したまま指を所定方向へ移動すると、図４（ｂ）に示すように、可動基板２３が下方へ撓んで、この下面の可動電極２４が下固定電極２６や上固定電極２７に接触する。
【００３８】
また、この時、制御手段３２がスイッチング手段３３を動作させて、複数の下固定電極２６や上固定電極２７へ順次電圧が印加され、これらの電極間の電圧比によって、押圧された可動電極２４を介して、下固定電極２６と上固定電極２７が電気的に接続された位置を制御手段３２が検出し、この操作位置を送信手段３１から赤外線のリモコン信号として電子機器４０へ送信する。
【００３９】
そして、このリモコン信号を機器に内蔵されたリモコン受信機４１が受信して、例えば表示画面４２に表示されたカーソル４３を上下方向や左右方向へ移動させることによって、番組表等のメニューの選択が行われる。
【００４０】
つまり、複数の操作部２２Ａを押圧操作することによって、可動接点１０を介して複数の固定接点６の電気的接離を行わせ、電子機器４０の電源の入／切や選局切換え、音量の増減といった通常の遠隔操作を行うと共に、入力装置３０の可動基板２３を押圧操作することによって、可動電極２４と下固定電極２６や上固定電極２７の電気的接離を行わせ、表示画面４２に表示されたカーソル４３を移動して、番組表等のメニューの選択を行えるように構成されている。
【００４１】
そして、このようなメニューの選択等に用いられる入力装置３０は、上述したように、上面に略帯状で直交する複数の下固定電極２６と上固定電極２７が形成された固定基板２５と、下面全面に可動電極２４が形成された可動基板２３を、所定の間隙を空けて対向させて形成されているため、電源の供給は下固定電極２６と上固定電極２７のみに行われ、可動電極２４には電源が供給されない構成となっている。
【００４２】
すなわち、可動電極２４を介して、押圧された箇所近傍の下固定電極２６と上固定電極２７の電気的接続が行われ、固定基板２５上方の可動電極２４には電源を供給する必要がないため、可動電極２４を固定基板２５や制御手段３２に接続するためのコネクタ等の部品も不要となり、簡易で安価な入力装置３０を構成できるようになっている。
【００４３】
なお、以上の説明では、操作部２２Ａが設けられた操作体２２の左方に、可動基板２３を一体に形成した構成について説明したが、図５の部分分解斜視図に示すように、操作体３５とは別に、ポリエチレンテレフタレートやポリカーボネート、ポリイミド等の可撓性を有するフィルム状で、下面全面にカーボン等によって可動電極２４が形成された可動基板３６を設け、この可動基板３６を開口孔３５Ａ上面に装着した操作体３５を、固定基板２５上面に載置した構成としても本発明の実施は可能である。
【００４４】
あるいは、図６の部分分解斜視図に示すように、操作体３７とは全く別に、フィルム状で下面全面に可動電極２４が形成された可動基板３６を設け、この可動基板３６を略額縁状のスペーサ３８の上下面に塗布形成された接着層（図示せず）によって、固定基板２５の左方に貼り合わせた構成としてもよい。
【００４５】
さらに、以上の説明では、複数の下固定電極２６と上固定電極２７を、固定基板２５上面に一部を重ねて直交方向に配列した構成について説明したが、図７の部分断面図に示すように、固定基板２５を挿通する貫通孔内に銀等が充填された、いわゆるスルーホール３９を設け、複数の円形部２６Ｂを連結する桟部２６Ａを固定基板２５下面に形成して、下固定電極２６や上固定電極２７を設けた構成としてもよい。
【００４６】
このように本実施の形態によれば、上面に略帯状で直交する複数の下固定電極２６と上固定電極２７が形成された固定基板２５と、下面全面に可動電極２４が形成された可動基板２３を、所定の間隙を空けて対向させて入力装置３０を構成することによって、電源の供給は下固定電極２６と上固定電極２７にのみ行われ、可動電極２４には電源の供給が不要となって、可動電極２４を固定基板２５や制御手段３２等に接続する必要がないため、コネクタ等の部品が不要となり、簡易な構成で安価な入力装置を得ることができるものである。
【００４７】
そして、この入力装置３０の下固定電極２６と上固定電極２７に、制御手段３２を接続すると共に、制御手段３２が下固定電極２６と上固定電極２７の電気的接離に応じて、送信手段３１からリモコン信号を送信するようにしてリモコン送信機を構成することによって、安価で多様な操作が可能なリモコン送信機を実現することができる。
【００４８】
なお、以上の説明では、電子機器４０の表示画面４２に、番組表等のメニューが表示された状態で、入力装置３０を押圧操作し、カーソル４３を上下左右方向へ移動させて、メニューの選択を行う構成について説明したが、表示画面４２に番組案内や音楽の曲名、あるいは地図等が表示された構成や、カーソル４３に代えて、矢印状や指形状のポインタを移動させてメニューの選択を行う構成としても、本発明の実施は可能である。
【産業上の利用可能性】
【００４９】
本発明による入力装置及びこれを用いたリモコン送信機は、安価で多様な操作が可能なものが得られ、主に各種電子機器の操作用として有用である。
【図面の簡単な説明】
【００５０】
【図１】本発明の一実施の形態によるリモコン送信機の断面図
【図２】同分解斜視図
【図３】同部分斜視図
【図４】同部分断面図
【図５】同他の実施の形態による部分分解斜視図
【図６】同部分分解斜視図
【図７】同部分断面図
【図８】電子機器の正面図
【図９】従来のリモコン送信機の断面図
【図１０】同分解斜視図
【符号の説明】
【００５１】
１  上ケース
１Ａ  貫通孔
１Ｂ  開口孔
６  固定接点
１０  可動接点
１４  下ケース
２２、３５、３７  操作体
２２Ａ  操作部
２３、３６  可動基板
２４  可動電極
２５  固定基板
２６  下固定電極
２６Ａ、２７Ａ  桟部
２６Ｂ、２７Ｂ  円形部
２７  上固定電極
２７Ｃ  絶縁層
２８  ドットスペーサ
３０  入力装置
３１  送信手段
３２  制御手段
３３  スイッチング手段
３４  抵抗
３５Ａ  開口孔
３８  スペーサ
３９  スルーホール
４０  電子機器
４１  リモコン受信機
４２  表示画面
４３  カーソル
【図１】
2009094770.tif 000003
【図２】
2009094770.tif 000004
【図３】
2009094770.tif 000005
【図４】
2009094770.tif 000006
【図５】
2009094770.tif 000007
【図６】
2009094770.tif 000008
【図７】
2009094770.tif 000009
【図８】
2009094770.tif 000010
【図９】
2009094770.tif 000011
【図１０】
2009094770.tif 000012